(57)【要約】【課題】耕耘装置の耕耘カバー内に草類や泥などが詰まった場合、草類や泥を容易に除去する。【解決手段】耕耘爪の上部周辺部を耕耘カバーで被覆し、耕耘カバーの後端部に左右方向のピン回りにリヤーカバーを上下回動自在に支持し、耕耘フレームにヒッチ連結棒の前側端部を左右方向の軸回りに回動自在に軸支し、ヒッチ連結棒の後側端部に取り付けたヒッチに補助作業機や尾輪を取り付け可能に構成し、耕耘フレームに立設しているトップリンクマストとヒッチ連結棒の後側部との間を伸縮自在な耕深調節手段により連結し、ヒッチ連結棒とリヤーカバーと間をワイヤにより連結しているロータリ耕耘装置において、ヒッチ連結棒を前側ヒッチ連結と後側ヒッチ連結棒とに分割構成して前後方向に伸縮調節自在に構成し、後側ヒッチ連結棒には前後方向に沿った複数のワイヤ調整取付孔を構成する。【選択図】図２
2014087329.tif 000002
【特許請求の範囲】
【請求項１】
耕耘爪（２８，…）の上部周辺部を耕耘カバー（２９）で被覆し、該耕耘カバー（２９）の後端部に左右方向のピン回りにリヤーカバー（３１）を上下回動自在に支持し、耕耘フレームにヒッチ連結棒（３３）の前端を左右方向の軸（３３ａ）回りに回動自在に軸支し、該ヒッチ連結棒（３３）の後側端部に取り付けたヒッチ（３３ｄ）に補助作業機や尾輪を取り付け可能に構成し、耕耘フレームに立設しているトップリンクマスト（２６）と前記ヒッチ連結棒（３３）の間に伸縮調節自在な耕深調節手段（３５）を連結して昇降可能に構成し、前記ヒッチ連結棒（３３）とリヤーカバー（３１）と間を単一のワイヤ（３４）により連結しているロータリ耕耘装置１１において、前記ヒッチ連結棒（３３）を前側ヒッチ連結棒（３３ｂ）と後側ヒッチ連結棒（３３ｃ）とに分割構成して前後方向に伸縮調節可能に構成し、該後側ヒッチ連結棒（３３ｃ）には前後方向に沿った複数のワイヤ調整取付孔（３３ｅ，…）を構成したことを特徴とするロータリ耕耘装置。
【請求項２】
請求項１の発明において、前記ヒッチ連結棒（３３）とリヤーカバー（３１）と間を所定長さのプッシュロッド（３７）により連結しリヤーカバー（３１）を所定の高さに支持しロータリ耕耘装置（１１）の耕耘深度を規制するように構成し、前記リヤーカバー（３１）のブラケット（３１ａ，３１ａ）に設けた左右方向の連結ピン（３８）に前記プッシュロッド（３７）及びワイヤ（３４）の下端を連結するように構成したことを特徴とするロータリ耕耘装置。
【請求項３】
請求項２の発明において、前記リヤーカバー（３１）のブラケット（３１ａ，３１ａ）に設けた左右方向の前記連結ピン（３８）に前記プッシュロッド（３７）及びワイヤ（３４）の下端を連結するにあたり、所定長さの直線状の第１線材（４０ａ）と、該第１線材（４０ａ）の一端から始端側が直交するように折曲延出されていて中途部にＵ字状の支持凹部（４０ｂ）が形成されていて終端側が第１線材（４０ａ）の一端に所定間隔隔てた状態で対向している枢支アーム（４０ｃ）と、該枢支アーム（４０ｃ）の終端側から前記第１線材（４０ａ）に沿うように所定間隔隔てるように延出されていて終端側が第１線材（４０ａ）に押接されている押圧線材（４０ｄ）と、該押圧線材（４０ｄ）の終端側に第１線材（４０ａ）からへこむように構成されていてる凹形係合部（４０ｅ）と、を備える弾性線材からなるワイヤ横ズレ防止支持手段（４０）を構成し、前記リヤーカバー（３１）の左右ブラケット（３１ａ，３１ａ）に軸支している前記連結ピン（３８）の左右一側に前記プッシュロッド（３７）の下端を枢支連結し、連結ピン３８の左右他側に前記ワイヤ（３４）の下端を枢支連結し、前記ワイヤ横ズレ防止支持手段（４０）の支持凹部（４０ｂ）を連結ピン（３８）の前記ワイヤ（３４）の側方に嵌合支持し、前記凹形係合部（４０ｅ）を前記プッシュロッド（３７）に嵌合支持してワイヤ（３４）の側方への横ズレを防止することを特徴とするロータリ耕耘装置。
【請求項４】
請求項２の発明において、前記リヤーカバー（３１）のブラケット（３１ａ，３１ａ）に設けた左右方向の連結ピン（３８）に前記プッシュロッド（３７）及びワイヤ（３４）の下部を連結するにあたり、前記リヤーカバー（３４）の左右ブラケット（３１ａ，３１ａ）の支持孔に抜き差し自在に挿通支持される抜け止め防止ピン（４４ａ）と、該抜け止め防止ピン（４４ａ）の一端から直交状に延出されている（レバー４４ｂ）と、該レバー（４４ｂ）の先端部に構成されていて前記連結ピン（３８）の係合離脱可能な係合凹部（４４ｃ，４４ｃａ）と、前記抜け止め防止ピン（４４ａ）に巻装されていて前記抜け止め防止ピン（４４ａ）が左右ブラケット（３１ａ，３１ａ）からの離脱を防止する抜け止めスプリング（４４ｄ）と、を備えているワイヤ横ズレ防止支持手段（４４）を構成し、前記リヤーカバー（３１）の左右ブラケット（３１ａ，３１ａ）に軸支している前記連結ピン（３８）の左右一側に前記プッシュロッド（３７）の下端を枢支連結し、連結ピン３８の左右他側に前記ワイヤ（３４）の下端を枢支連結し、前記ワイヤ横ズレ防止支持手段（４４）のレバー（４４ｂ）の係合凹部（４４ｃ，４４ｃａ）を連結ピン（３８）の前記ワイヤ（３４）の側方に嵌合支持し、前記抜け止めスプリング（４４ｄ）によりレバー（４４ｂ）をワイヤ（３４）の側方へ押圧し横ズレを防止することを特徴とするロータリ耕耘装置。
【発明の詳細な説明】
【技術分野】
【０００１】
本発明は、ロータリ耕耘装置に関し、特にリヤーカバー回動装置に関する。
【背景技術】
【０００２】
耕耘チェンケースの下端部に耕耘軸を回転自在に軸架し、該耕耘軸に多数の耕耘爪を取り付けて耕耘装置を構成し、該耕耘装置の上側部及び左右両側部を耕耘カバーにより覆い、該耕耘カバーの後側端部には左右方向の支点回りにリヤーカバーを上下回動自在に軸支し、該リヤーカバーの左右両側前部を左右後側サイドカバーで覆い、リヤーカバーの左右両側後部には上下移動可能な左右閉鎖板を設け、前記耕耘装置の耕耘深度が浅くなりリヤーカバーの下方回動状態では前記左右閉鎖板を下方に移動し、耕耘深度が深くなりリヤーカバーの上方回動状態では左右閉鎖板を上方に移動するようにし耕耘泥土の飛散を防止したものは、公知である（特許文献１）。
【先行技術文献】
【特許文献】
【０００３】
【特許文献１】特開２００７−６７７６号公報
【発明の概要】
【発明が解決しようとする課題】
【０００４】
耕耘装置で耕耘作業中に耕耘カバー内の耕耘爪に草類や泥などが詰まり、耕耘爪が円滑に回転しない状態が発生することがある。本発明はこのような場合において耕耘カバーの後部のリヤーカバーを容易に上方へ回動し耕耘装置の後部を開放し、草類や泥を容易に除去しようとするものである。
【課題を解決するための手段】
【０００５】
本発明はこのような問題点を解決するために次のような技術的手段を講じた。
請求項１の発明は、耕耘爪（２８，…）の上部周辺部を耕耘カバー（２９）で被覆し、該耕耘カバー（２９）の後端部に左右方向のピン回りにリヤーカバー（３１）を上下回動自在に支持し、耕耘フレームにヒッチ連結棒（３３）の前端を左右方向の軸（３３ａ）回りに回動自在に軸支し、該ヒッチ連結棒（３３）の後側端部に取り付けたヒッチ（３３ｄ）に補助作業機や尾輪を取り付け可能に構成し、耕耘フレームに立設しているトップリンクマスト（２６）と前記ヒッチ連結棒（３３）の間に伸縮調節自在な耕深調節手段（３５）を連結して昇降可能に構成し、前記ヒッチ連結棒（３３）とリヤーカバー（３１）と間を単一のワイヤ（３４）により連結しているロータリ耕耘装置１１において、前記ヒッチ連結棒（３３）を前側ヒッチ連結棒（３３ｂ）と後側ヒッチ連結棒（３３ｃ）とに分割構成して前後方向に伸縮調節可能に構成し、該後側ヒッチ連結棒（３３ｃ）には前後方向に沿った複数のワイヤ調整取付孔（３３ｅ，…）を構成したことを特徴とする。
【０００６】
請求項２の発明は、請求項１の発明において、前記ヒッチ連結棒（３３）とリヤーカバー（３１）と間を所定長さのプッシュロッド（３７）により連結しリヤーカバー（３１）を所定の高さに支持しロータリ耕耘装置（１１）の耕耘深度を規制するように構成し、前記リヤーカバー（３１）のブラケット（３１ａ，３１ａ）に設けた左右方向の連結ピン（３８）に前記プッシュロッド（３７）及びワイヤ（３４）の下端を連結するように構成したことを特徴とする。
【０００７】
請求項３の発明は、請求項２の発明において、前記リヤーカバー（３１）のブラケット（３１ａ，３１ａ）に設けた左右方向の前記連結ピン（３８）に前記プッシュロッド（３７）及びワイヤ（３４）の下端を連結するにあたり、所定長さの直線状の第１線材（４０ａ）と、該第１線材（４０ａ）の一端から始端側が直交するように折曲延出されていて中途部にＵ字状の支持凹部（４０ｂ）が形成されていて終端側が第１線材（４０ａ）の一端に所定間隔隔てた状態で対向している枢支アーム（４０ｃ）と、該枢支アーム（４０ｃ）の終端側から前記第１線材（４０ａ）に沿うように所定間隔隔てるように延出されていて終端側が第１線材（４０ａ）に押接されている押圧線材（４０ｄ）と、該押圧線材（４０ｄ）の終端側に第１線材（４０ａ）からへこむように構成されている凹形係合部（４０ｅ）と、を備える弾性線材からなるワイヤ横ズレ防止支持手段（４０）を構成し、前記リヤーカバー（３１）の左右ブラケット（３１ａ，３１ａ）に軸支している前記連結ピン（３８）の左右一側に前記プッシュロッド（３７）の下端を枢支連結し、連結ピン３８の左右他側に前記ワイヤ（３４）の下端を枢支連結し、前記ワイヤ横ズレ防止支持手段（４０）の支持凹部（４０ｂ）を連結ピン（３８）の前記ワイヤ（３４）の側方に嵌合支持し、前記凹形係合部（４０ｅ）を前記プッシュロッド（３７）に嵌合支持してワイヤ（３４）の側方への横ズレを防止することを特徴とする。
【０００８】
請求項４の発明は、請求項２の発明において、前記リヤーカバー（３１）のブラケット（３１ａ，３１ａ）に設けた左右方向の連結ピン（３８）に前記プッシュロッド（３７）及びワイヤ（３４）の下部を連結するにあたり、前記リヤーカバー（３４）の左右ブラケット（３１ａ，３１ａ）の支持孔に抜き差し自在に挿通支持される抜け止め防止ピン（４４ａ）と、該抜け止め防止ピン（４４ａ）の一端から直交状に延出されている（レバー４４ｂ）と、該レバー（４４ｂ）の先端部に構成されていて前記連結ピン（３８）の係合離脱可能な係合凹部（４４ｃ，４４ｃａ）と、前記抜け止め防止ピン（４４ａ）に巻装されていて前記抜け止め防止ピン（４４ａ）が左右ブラケット（３１ａ，３１ａ）からの離脱を防止する抜け止めスプリング（４４ｄ）と、を備えているワイヤ横ズレ防止支持手段（４４）を構成し、前記リヤーカバー（３１）の左右ブラケット（３１ａ，３１ａ）に軸支している前記連結ピン（３８）の左右一側に前記プッシュロッド（３７）の下端を枢支連結し、連結ピン３８の左右他側に前記ワイヤ（３４）の下端を枢支連結し、前記ワイヤ横ズレ防止支持手段（４４）のレバー（４４ｂ）の係合凹部（４４ｃ，４４ｃａ）を連結ピン（３８）の前記ワイヤ（３４）の側方に嵌合支持し、前記抜け止めスプリング（４４ｄ）によりレバー（４４ｂ）をワイヤ（３４）の側方へ押圧し横ズレを防止することを特徴とする。
【発明の効果】
【０００９】
請求項１の発明によると、耕耘爪（２８，…）の上部周辺部を耕耘カバー（２９）で被覆し、該耕耘カバー（２９）の後端部に左右方向のピン回りにリヤーカバー（３１）を上下回動自在に支持し、耕耘フレームにヒッチ連結棒（３３）の前端を左右方向の軸（３３ａ）回りに回動自在に軸支し、該ヒッチ連結棒（３３）の後側端部に取り付けたヒッチ（３３ｄ）に補助作業機や尾輪を取り付け可能に構成し、耕耘フレームに立設しているトップリンクマスト（２６）と前記ヒッチ連結棒（３３）の間に伸縮調節自在な耕深調節手段（３５）を連結して昇降可能に構成し、前記ヒッチ連結棒（３３）とリヤーカバー（３１）と間を単一のワイヤ（３４）により連結しているロータリ耕耘装置１１において、前記ヒッチ連結棒（３３）を前側ヒッチ連結棒（３３ｂ）と後側ヒッチ連結棒（３３ｃ）とに分割構成して前後方向に伸縮調節可能に構成し、該後側ヒッチ連結棒（３３ｃ）には前後方向に沿った複数のワイヤ調整取付孔（３３ｅ，…）を構成したので、耕耘カバー（２９）内に草類や泥が詰まり耕耘爪（２８，…）が回転不調になったときには、耕深調節手段（３５）を調節しヒッチ連結棒（３３）を上方に回動すると、ワイヤ（３４）を介してリヤーカバー（３１）を楽に上方へ回動し耕耘カバー（２９）の後方を開放することができ、詰まった草類や泥を容易に取り除くことができる。また、ヒッチ連結棒（３３）が伸縮調節されていてもヒッチ連結棒（３３）へのワイヤ（３４）取付位置を調整取付孔（３３ｅ，…）により前後に調節して連結することができ、所定長さの単一のワイヤ（３４）によりリヤーカバー（３１）を容易に回動することができる。
【００１０】
請求項２の発明によると、請求項１の発明の前記効果に加えて、前記ヒッチ連結棒（３３）とリヤーカバー（３１）と間を所定長さのプッシュロッド（３７）により連結しリヤーカバー（３１）を所定の高さに支持しロータリ耕耘装置（１１）の耕耘深度を規制するように構成し、前記リヤーカバー（３１）のブラケット（３１ａ，３１ａ）に設けた左右方向の連結ピン（３８）に前記プッシュロッド（３７）及びワイヤ（３４）の下端を連結するように構成したので、リヤーカバー（３１）にプッシュロッド（３７）連結用の連結ピン（３８）を利用してワイヤ（３４）の下端部を連結することができ、ワイヤの連結構成を簡単化しコストの低減を図ることができる。
【００１１】
請求項３の発明によると、請求項２の発明の前記効果に加えて、前記リヤーカバー（３１）のブラケット（３１ａ，３１ａ）に設けた左右方向の前記連結ピン（３８）に前記プッシュロッド（３７）及びワイヤ（３４）の下端を連結するにあたり、所定長さの直線状の第１線材（４０ａ）と、該第１線材（４０ａ）の一端から始端側が直交するように折曲延出されていて中途部にＵ字状の支持凹部（４０ｂ）が形成されていて終端側が第１線材（４０ａ）の一端に所定間隔隔てた状態で対向している枢支アーム（４０ｃ）と、該枢支アーム（４０ｃ）の終端側から前記第１線材（４０ａ）に沿うように所定間隔隔てるように延出されていて終端側が第１線材（４０ａ）に押接されている押圧線材（４０ｄ）と、該押圧線材（４０ｄ）の終端側に第１線材（４０ａ）からへこむように構成されていてる凹形係合部（４０ｅ）と、を備える弾性線材からなるワイヤ横ズレ防止支持手段（４０）を構成し、前記リヤーカバー（３１）の左右ブラケット（３１ａ，３１ａ）に軸支している前記連結ピン（３８）の左右一側に前記プッシュロッド（３７）の下端を枢支連結し、連結ピン３８の左右他側に前記ワイヤ（３４）の下端を枢支連結し、前記ワイヤ横ズレ防止支持手段（４０）の支持凹部（４０ｂ）を連結ピン（３８）の前記ワイヤ（３４）の側方に嵌合支持し、前記凹形係合部（４０ｅ）を前記プッシュロッド（３７）に嵌合支持してワイヤ（３４）の側方への横ズレを防止するので、リヤーカバー（３１）の連結ピン（３８）にプッシュロッド（３７）及びワイヤ３４を連結した状態でワイヤ横ズレ防止支持手段（４０）によりワイヤ（３４）の横ズレを防止しながら確実に支持することができる。また、リヤーカバー（３１）からワイヤ（３４）及びワイヤ横ズレ防止支持手段（４０）を取り外した際には、ワイヤ横ズレ防止支持手段（４０）の第１線材（４０ａ）にワイヤ（３４）の下部連結孔を挿通することにより、ワイヤ（３４）及びワイヤ横ズレ防止支持手段４０の紛失を防止することができる。
【００１２】
請求項４の発明によると、請求項２の発明の前記効果に加えて、前記リヤーカバー（３１）のブラケット（３１ａ，３１ａ）に設けた左右方向の連結ピン（３８）に前記プッシュロッド（３７）及びワイヤ（３４）の下部を連結するにあたり、前記リヤーカバー（３４）の左右ブラケット（３１ａ，３１ａ）の支持孔に抜き差し自在に挿通支持される抜け止め防止ピン（４４ａ）と、該抜け止め防止ピン（４４ａ）の一端から直交状に延出されている（レバー４４ｂ）と、該レバー（４４ｂ）の先端部に構成されていて、前記連結ピン（３８）の係合及び離脱可能な係合凹部（４４ｃ，４４ｃａ）と、前記抜け止め防止ピン（４４ａ）に巻装されていて前記抜け止め防止ピン（４４ａ）が左右ブラケット（３１ａ，３１ａ）からの離脱を防止する抜け止めスプリング（４４ｄ）と、を備えているワイヤ横ズレ防止支持手段（４４）を構成し、前記リヤーカバー（３１）の左右ブラケット（３１ａ，３１ａ）に軸支している前記連結ピン（３８）の左右一側に前記プッシュロッド（３７）の下端を枢支連結し、連結ピン３８の左右他側に前記ワイヤ（３４）の下端を枢支連結し、前記ワイヤ横ズレ防止支持手段（４４）のレバー（４４ｂ）の係合凹部（４４ｃ，４４ｃａ）を連結ピン（３８）の前記ワイヤ（３４）の側方に嵌合支持し、前記抜け止めスプリング（４４ｄ）によりレバー（４４ｂ）をワイヤ（３４）の側方へ押圧し横ズレを防止するので、リヤーカバー（３１）の連結ピン（３８）にプッシュロッド（３７）及びワイヤ３４を連結した状態でワイヤ横ズレ防止支持手段（４４）によりワイヤ（３４）の横ズレを防止し確実に支持することができる。リヤーカバー（３１）の左右ブラケット（３１ａ，３１ａ）にワイヤ横ズレ防止支持手段（４４）を常時取り付ける構成であるので、ワイヤ横ズレ防止支持手段（４４）の紛失を防止することができる。
【図面の簡単な説明】
【００１３】
【図１】トラクタ全体の側面図。
【図２】ロータリ耕耘装置の側面図。
【図３】ロータリ耕耘装置の側面図、ヒッチ連結棒の側面図、ワイヤの斜視図。
【図４】リヤーカバー部の斜視図。
【図５】リヤーカバー部の斜視図、ワイヤ横ズレ防止支持手段の斜視図。
【図６】リヤーカバー部の斜視図、ワイヤ横ズレ防止支持手段の正面図。
【図７】リヤーカバー部の斜視図、ワイヤ横ズレ防止支持手段の正面図。
【図８】ワイヤ連結部の斜視図、背面図。
【図９】ワイヤ連結部の斜視図、リヤーカバーの斜視図。
【図１０】トラクタの後部の平面図、回り止め体の斜視図。
【図１１】トラクタの後部の平面図、支持体の斜視図。
【図１２】３点リンク機構の平面図、側面図、背面図。
【図１３】３点リンク機構の平面図、側面図、背面図。
【発明を実施するための形態】
【００１４】
以下、図面に基づいて本発明を農業用トラクタに施した実施例について説明する。
まず、図１に基づき本発明を実施するトラクタの全体構成について説明する。
トラクタは走行車体１の前側部にエンジンＥを搭載し、エンジンＥをボンネット２で被覆し、エンジンＥの回転動力をミッションケース３内の主変速装置及び副変速装置で変速し、左右前輪４，４及び左右後輪５，５へ伝達している。
【００１５】
また、ミッションケース３の後側上部にはシート６を設け、その左右両側に左右フェンダ７，７を設け、左右後輪４，４の上部を被覆している。
ミッションケース３の後部上面には油圧シリンダケース８を設け、油圧シリンダケース８の後側部に左右リフトアーム９，９を上下回動自在に軸支し、３点リンク機構１０を介してロータリ耕耘装置１１を連結し、ミッションケース３の後部から後方へ突出するように軸架しているＰＴＯ軸１２からロータリ耕耘装置１１に動力を伝達し、リフトアーム９，９、リフトロッド１３，１３、３点リンク機構１０でロータリ耕耘装置１１を昇降するように構成している。
【００１６】
また、エンジンＥの後方にはハンドルフレーム１５を立設し、ハンドルフレーム１５の上部にステアリングハンドル１６を設けている。ミッションケース３１の後部に後側安全フレーム１７を立設している。
【００１７】
ロータリ耕耘装置１１は図２及び図３に示すように、左右中央の耕耘ギヤボックス２１から左右両側方に筒状の左右枠体２２，２２を延出し、左右一側の枠体２２の端部にはチェンケース２３を下方に延出するように取り付け、左右他側の枠体２２の端部にはサイドフレーム（図示省略）を下方に延出するように取り付け、左右枠体２２，２２、チェンケース２３、サイドフレーム（図示省略）により背面視で門形を構成している。前記チェンケース２３の下端部とサイドフレーム（図示省略）の下端部との間に耕耘軸２７を回転自在に軸架し、耕耘軸２７に多数の耕耘爪２８，…を取り付けロータリ耕耘装置１１を構成している。
【００１８】
前記耕耘ギヤボックス２１からトップリンクマスト２６を上方へ延出するように取り付け、トップリンクマスト２６の前側上部に３点リンク機構１０の上部リンク１０ａの後端をピン連結し、左右ロワーリンク１０ｂ，１０ｂの後端を耕耘ギヤボックス２１のブラケットにピン連結している。
【００１９】
ミッションケース３の後部に図１に示すようにＰＴＯ軸１２を後方へ突出するように軸架し、ＰＴＯ軸１２から屈折自在の耕耘伝動軸１９を経由して耕耘ギヤボックス２１の入力軸に動力を伝達している。耕耘ギヤボックス２１に伝達された耕耘動力は左右一側の筒状枠体２２内の伝動軸（図示省略）、チェンケース２３内の耕耘チエン伝動装置（図示省略）を経て耕耘軸２７に伝達されている。
【００２０】
チェンケース２３とサイドフレーム（図示省略）との間に耕耘カバー２９を取り付けて耕耘爪２８，…の前側部、上方部、後側部を被覆し、耕耘カバー２９の左右両側に耕耘サイドカバー２９ａ，２９ａを取り付けて左右両側部を被覆している。耕耘カバー２９の後側端部には左右方向のピンを介してリヤーカバー３１を上下回動自在に支持している。
【００２１】
耕耘ギヤボックス２１の上部にはヒッチ連結棒３３の前部を左右方向の軸３３ａ回りに回動自在に軸支し、ヒッチ連結棒３３の後側端部にヒッチ３３ｄを取り付け、補助作業機や尾輪を取り付けるようにしている。ヒッチ連結棒３３の後側部にはワイヤ３４の上端部を連結し、ワイヤ３３の下端をリヤーカバー３１の上面のブラケット３１ａにピン連結している。前記トップリンクマスト２６の後側上部とヒッチ連結棒３３の前後中間部とを伸縮調節自在の耕深調節手段３５により連結し、耕深調節手段３５を伸縮調節することによりワイヤ３４を介してリヤーカバー３１を上下回動調節するようにしている。
【００２２】
次に、図２及び図３に基づきロータリ耕耘装置１１のリヤーカバー３１の上下回動構成について説明する。
ロータリ耕耘装置１１で耕耘作業中に耕耘カバー２９と耕耘爪２８，…との間に草類や泥などが詰まり、耕耘爪２８，…が円滑に回転しない事態が発生することがある。このような場合にリヤーカバー３１を容易に上方へ回動調節しロータリ耕耘装置１１の後部を開放し、草類や泥の詰まりを容易に除去しようとするものである。
【００２３】
耕耘爪２８，…の上部周辺部を耕耘カバー２９で被覆し、耕耘カバー２９の後端部に左右方向のピン回りにリヤーカバー３１を上下回動自在に取り付け、耕耘ギヤボックス２１の後側上部にはヒッチ連結棒３３の前部を左右方向の軸３３ａ回りに回動自在に軸支し、ヒッチ連結棒３３の後端に取り付けたヒッチ３３ｄに補助作業機や尾輪を取り付け可能に構成し、耕耘ギヤボックス２１に立設しているトップリンクマスト２６と前記ヒッチ連結棒３３の後側部を伸縮自在な耕深調節手段３５により連結し、ヒッチ連結棒３３とリヤーカバー３１とをワイヤ３４により連結したロータリ耕耘装置１１において、前記ヒッチ連結棒３３を前側ヒッチ連結棒３３ｂと後側ヒッチ連結棒３３ｃとに分割構成して前側ヒッチ連結棒３６ｂに対して後側ヒッチ連結棒３３ｃを前後伸縮調節可能に構成し、後側ヒッチ連結棒３３ｃには前後方向に沿った複数の調整取付孔３３ｅ，…を構成している。
【００２４】
前記構成によると、耕深調節手段３５の操作具を正回転しヒッチ連結棒３３を上方に回動調節すると、ワイヤ３４を介して草類や泥の詰まっているリヤーカバー３１を容易に上方へ回動することができ、草類や泥などを容易に取り除くことができる。
【００２５】
また、ヒッチ連結棒３３を前後方向に伸縮調節していても、リヤーカバー３１支持用のワイヤ３４を後側ヒッチ連結棒３３ｃの複数の調整取付孔３３ｅ，…のいずれかに連結することにより、所定長さの単一のワイヤ３４によりリヤーカバー３１を容易に上方へ開放回動することができる。
【００２６】
ヒッチ連結棒３３の後側ヒッチ連結棒３３ｃに単一のワイヤ取付孔を設けた構成であると、ヒッチ連結棒３３を前後方向への伸縮調節状態に対応して長短の複数のワイヤを用意する必要が有り、部品点数が多くなるという問題点がある。しかし、前記構成によるとこのような問題点を解消することができる。
【００２７】
次に、図４について説明する。
前記ヒッチ連結棒３３とリヤーカバー３１と間をプッシュロッド３７により連結し、ロータリ耕耘装置１１のリヤーカバー３１を所定の高さを保持し耕耘深度を規制しながら耕耘作業をするように構成している。
【００２８】
リヤーカバー３１の上面に取り付けているブラケット３１ａ，３１ａに左右方向の連結ピン３８を支架し、連結ピン３８におけるブラケット３１ａ，３１ａの中間部にプッシュロッド３７の下端孔を支持し左右方向の移動を規制している。連結ピン３８における右ブラケット３１ａの右側方にワイヤ３４の下端連結孔を挿通し、連結ピン３９の右側端部の孔にヘアーピン３９を挿通し、ワイヤ３４の離脱を防止するようにしている。
【００２９】
前記構成によると、プッシュロッド３７連結用の連結ピン３８を介してワイヤ３４の下端部をリヤーカバー３１に連結することができ、構成を簡単化し、コストの低減を図ることができる。
【００３０】
次に、図５に基づきリヤーカバー３１側の連結ピン３８にプッシュロッド３７の下端部を枢支連結し、該連結ピン３８にワイヤ３４の下端部を連結した際におけるワイヤ横ズレ防止支持手段４０について説明する。
【００３１】
このワイヤ横ズレ防止支持手段４０は弾性線材で構成されていて、左右方向に沿いその一端側がプッシュロッド３７の外周面に当接支持される所定長さの第１線材４０ａと、第１線材４０ａの左右他端から前後いずれかの方向に折曲延出されていて、その中間部に側面視Ｕ字状に屈折している支持凹部４０ｂが形成されていて、且つ終端側が第１線材４０ａの右側端部に所定間隔を隔てて対向している枢支アーム４０ｃと、枢支アーム４０ｃの終端側から第１線材４０ａに対向するように左右方向に延出されていて中途部が第１線材４０ａから離れるように正面視逆Ｕ字状に屈曲し且つ自由端側が間隔を狭めて第１線材４０ａに押圧当接されている押圧線材４０ｄと、該押圧線材４０ｄの自由端側に構成されていて第１線材４０ａに対向するように構成されている凹形係合部４０ｅとで、構成されている。
【００３２】
しかして、リヤーカバー３１の左右ブラケット３１ａ，３１ａに連結ピン３８を左右方向に沿うように挿通支持し、連結ピン３８における左右ブラケット３１ａ，３１ａの中間部位にプッシュロッド３７の下端部を枢支連結し、連結ピン３８の右ブラケット３１ａの右側方にワイヤ３４の下側支持孔を挿通し支持する。そして、枢支アーム４０ｃを前後方向に沿わせた状態で支持凹部４０ｂを連結ピン３８の右側部におけるワイヤ３４の右側方に嵌合し、ワイヤ３４の右外側部に当接するように嵌合支持する。次いで、左右方向に沿っている押圧線材４０ｄを連結ピン３８、ワイヤ３４、プッシュロッド３７の上方を通して左側に延出し凹形係合部４０ｅをプッシュロッド３７の上側面部に嵌合位置決めし、第１線材４０ａ及び押圧線材４０ｄの左側部によりプッシュロッド３７の上下両面から押圧支持し、ワイヤ３４の右側への離脱を防止している。
【００３３】
前記構成によると、リヤーカバー３１の連結ピン３８にプッシュロッド３７及びワイヤ３４を連結した状態でワイヤ横ズレ防止支持手段４０によりワイヤ３４の横ズレを防止し、ワイヤ３４を確実に支持することができる。また、リヤーカバー３１からワイヤ３４を取り外し、プッシュロッド３７だけをリヤーカバー３１に連結した際には、ワイヤ横ズレ防止支持手段４０の第１線材４０ａをワイヤ３４の下側支持孔に挿通することにより、一体化しワイヤ横ズレ防止支持手段４０の紛失を防止することができる。
【００３４】
次に、図６に基づきワイヤ横ズレ防止支持手段４４の他の実施例について説明する。
リヤーカバー３１の上面に左右ブラケット３１ａ，３１ａを配設し、左右ブラケット３１ａ，３１ａの上側の支持孔に連結ピン３８を左右方向に沿わせて挿通支持し、連結ピン３８の左右ブラケット３１ａ，３１ａの間に位置するようにプッシュロッド３７の下端支持孔を挿通支持し、連結ピン３８の右ブラケット３１ａの右側部にワイヤ３４の下端支持孔を挿通支持し、左右ブラケット３１ａ，３１ａの下側の支持孔にワイヤ横ズレ防止支持手段４４を支持している。
【００３５】
このワイヤ横ズレ防止支持手段４４は、左右ブラケット３１ａ，３１ａの下側の支持孔に左右方向に沿うように抜き差し自在に挿通支持されている抜け止め防止ピン４４ａと、抜け止め防止ピン４４ａの右側端部から直交状に延出されているレバー４４ｂと、レバー４４ｂの先端部に構成されている支持孔４４ｃ（連結ピン３８を挿通離脱可能）と、前記抜け止め防止ピン４４ａに巻装されていて左右ブラケット３１ａ，３１ａからの離脱を防止する抜け止めスプリング４４ｄと、レバー４４ｂの先端部に連設されている操作部４４ｅで構成されている。
【００３６】
しかして、図６（Ｂ）に示すように、左右ブラケット３１ａ，３１ａの下側の支持孔に左右方向に沿うように抜け止め防止ピン４４ａを挿通支持し、レバー４４ｂの先端部の支持孔４４ｃを連結ピン３８の右側部に挿通支持する。すると、抜け止めスプリング４４ｄが伸長し、レバー４４ｂが左側に押圧移動し、ワイヤ３４を左側に押圧支持し、ワイヤ３４の離脱を防止することができる。
【００３７】
また、図６（Ｃ）に示すように、抜け止めスプリング４４ｄに抗して抜け止め防止ピン４４ａ及びレバー４４ｂを右側に移動し、レバー４４ｂの支持孔４４ｃを連結ピン３８から取り外すと、ワイヤ３４を連結ピン３８から取り外すことができる。
【００３８】
前記構成によると、リヤーカバー３１側の連結ピン３８にプッシュロッド３７及びワイヤ３４を連結した状態でワイヤ横ズレ防止支持手段４４で支持することができる。また、リヤーカバー３１の連結ピン３８にワイヤ横ズレ防止支持手段４４を常時取り付けるようにしているので紛失を防止することができる。
【００３９】
なお、ワイヤ横ズレ防止支持手段４４を構成するにあたり、図７に示すようにレバー４４ｂに形成されていて連結ピン３８の嵌合離脱可能な支持孔４４ｃに代えて係合凹部４４ｃａとしても同様の効果を発揮することができる。
【００４０】
なお、ワイヤ横ズレ防止支持手段４４を構成するにあたり、図７に示すようにレバー４４ｂに形成されていて連結ピン３８の嵌合離脱可能な支持孔４４ｃに代えて係合凹部４４ｃａとしても同様の効果を発揮することができる。
【００４１】
次に、図２（Ｃ）及び図８に基づきワイヤ３４の上端部のヒッチ連結棒３３への取付構成について説明する。
ヒッチ連結棒３３にはワイヤ支持ブラケット４８を取り付け、ワイヤ支持ブラケット４８を介してワイヤ３４の上端部を連結している。ワイヤ支持ブラケット４８は、正面視逆Ｕ字形の支持ブラケット部４８ａと、支持ブラケット部４８ａの上部中央部から上方へ延出している支持ボルト４８ｂとで構成されていて、支持ブラケット部４８ａの下端に設けた左右支持孔にピン５０を挿通支持し、ピン５０にワイヤ３４の上端を支持し、ヘアーピン５０ａでピン５０の抜け止めをしている。
【００４２】
また、ヒッチ連結棒３３を横断面四角形の中空枠体で構成し、前側ヒッチ連結棒３３ｂと後側ヒッチ連結棒３３ｃを前後方向に伸縮調節自在に構成し、後側ヒッチ連結棒３３ｃの下側枠体３３ｃａに支持ナット４８ｃを固着している。
【００４３】
しかして、ヒッチ連結棒３３の下側枠体３３ｃａの支持ナット４８ｃにワイヤ支持ブラケット４８の支持ボルト４８ｂをねじ込み、ワイヤ支持ブラケット４８の上下高さを調節してロックナット４９で固定し、ワイヤ３４の長さ調節をしながら取り付けるようにしている。
【００４４】
従って、ヒッチ連結棒３３が前後伸縮調節されて支持ボルト４８ｂの位置が前後に移動してもワイヤ３４の長さを調節することにより、ヒッチ連結棒３３とリヤーカバー３１との間を適正に連結することができる。
【００４５】
また、ワイヤ３４の連結構成を図９のように構成してもよい。ヒッチ連結棒３３を前側ヒッチ連結棒３３ｂと後側ヒッチ連結棒３３ｃとに分割構成し、前側ヒッチ連結棒３６ｂに対して後側ヒッチ連結棒３３ｃを前後方向に伸縮調節自在に構成し、後側ヒッチ連結棒３３ｃの後側端部に左右方向に沿うようにヒッチ３３ｄを設けている。ヒッチ３３ｄの左右中央部に前記ワイヤ支持ブラケット４８を取り付け、正面視逆Ｕ字形の支持ブラケット部４８ａ，４８ａの下端支持孔にピン５０挿通し、ピン５０にワイヤ３４の上端を係止しわりピン５０ａで抜け止めをする。
【００４６】
そして、リヤーカバー３１の左右ブラケット３１ａ，３１ａにアイボルト５２を取り付けてワイヤ３４の連結部とし、ワイヤ３４の下部フック３４ａをアイボルト５２に係止し連結するようにしている。また、例えば前側ヒッチ連結棒３３ｂに係止スプリング５１を設けている。
【００４７】
しかして、ワイヤ３４をリヤーカバー３１に連結しない場合には、ワイヤ３４の下端部のフック３４ａを係止スプリング５１で係止し、ワイヤ３４を上方に収納するようにし、ワイヤ３４の紛失を防止し汚れを防止している。
【００４８】
次に、図１０に基づき３点リンク機構１０の左右ロワーリンク１０ｂ，１０ｂの横振れ防止構成について説明する。
ミッションケース３の後側下部には左右ロワーリンクブラケット５５，５５を後方へ延出するように取り付け、左右ロワーリンクブラケット５５，５５の支持孔にロワーリンク支持軸５６を左右方向に沿わせて支持し、該ロワーリンク支持軸５６に左右ロワーリンク１０ｂ，１０ｂの前側部を上下回動左右揺動自在に支持している。ミッションケース３から左右方向に延出している左右リヤアクスルケース５４，５４にブラケット５３ａ，５３ａを取り付け、該ブラケット５３ａ，５３ａと左右ロワーリンク１０ｂ，１０ｂの後側部とを伸縮調節自在の左右チエックチエン５３，５３で連結し振れ止めをしている。
【００４９】
ロワーリンク支持軸５６の左右中央部１か所を切削し回り止め用の当たり面５６ａを形成している。ロワーリンク支持軸５６の当たり面５６ａに対応する部位に回り止め体５７の凹部５７ａを嵌合し、回り止め体５７の後側の上下方向の孔５７ｂ，５７ｂにピン５８を挿通し、ロワーリンク支持軸５６の当たり面５６ａに凹部５７ａにピン５８の外周面を当接し回り止め状態で支持している。そして、ロワーリンクブラケット５５の支持孔と回り止め体５７の左右方向の上側孔５７ｃ，５７ｃにピン（図示省略）を挿通して取り付け、ヘアピン（図示省略）で抜け止めをしている。
【００５０】
前記構成によると、部品点数を少なくしコストの低減をし組立て作業を容易にしながらロワーリンク支持軸５６の回り止めをすることができる。
次に、図１１に基づき３点リンク機構１０の左右ロワーリンク１０ｂ，１０ｂの支持構成について説明する。
【００５１】
ミッションケース３の後側下部には左右ロワーリンクブラケット５５，５５を後方へ延出するように取り付け、左右ロワーリンクブラケット５５，５５の支持孔にロワーリンク支持軸５６を左右方向に沿わせて支持し、該ロワーリンク支持軸５６に左右ロワーリンク１０ｂ，１０ｂの前側部を上下回動自在に支持している。ミッションケース３から左右両側に延出している左右リヤアクスルケース５４，５４に取り付けている左右ブラケット５３ａ，５３ａと左右ロワーリンク１０ｂ，１０ｂの後側部との間に伸縮調節自在の左右チエックチエン５３，５３を連結し左右の振れ止めをしている。
【００５２】
ロワーリンク支持軸５６の左右中央部１か所を切削し回り止め用の当たり面５６ａを形成し、ロワーリンク支持軸５６の当たり面５６ａの部位に支持体６１の凹部６１ａを嵌合し、支持体６１の後側の上下方向の孔６１ｂ，６１ｂにピン６２を挿通し、ロワーリンク支持軸５６の当たり面５６ａとピン６２の前側面とを当接し回り止め状態で軸支している。そして、ロワーリンクブラケット５５の支持孔と支持体６１の左右方向の上側孔６１ｃ，６１ｃにピン６４を挿通支持し、ボルト６３をねじ込みピン６４の回り止めをしている。
【００５３】
また、支持体６１の前側部から回り止め片６１ｄを前方へ延出し、回り止め片６１ｄの上側面をロワーリンクブラケット５５の規制面に当接するように支持体６１の回動を規制している。
【００５４】
前記構成によると、部品点数を少なくしコストの低減を図りながら組立て作業を容易にすることができる。
次に、図１２に基づき３点リンク機構１０のロワーリンク１０ｂ，１０ｂの横振れ防止構成について説明する。
【００５５】
ミッションケース３の後部にロワーリンク支持軸５６を左右方向に沿うように支持し、ロワーリンク支持軸５６の左右両側部に円形支持部５６ｂ、…を介して左右ロワーリンク１０ｂ，１０ｂを上下回動自在で且つ左右揺動自在に支持している。ロワーリンク支持軸５６の左右中央部にチエックチエンステー６５を上下回動自在に軸支し、チエックチエンステー６５の後側左右両側部で左右ロワーリンク１０ｂ，１０ｂの中央寄りに構成している連結孔６５ａ，６５ａに伸縮調節自在の左右チエックチエン６６，６６の前側端部を連結し、左右チエックチエン６６，６６の中途部を左右ロワーリンク１０ｂ，１０ｂの中央寄りを通して後方へ延出し、後側端部を左右ロワーリンク１０ｂ，１０ｂの後部中央側の連結部に連結している。
【００５６】
チエックチエンステー６５の前側部左右両側上面に左右規制板６７，６７をボルト締結し、左右規制板６７，６７の左右両側から上側に屈折する屈折板６７ａ，６７ａを延出し、屈折板６７ａ，６７ａの後側上部に左右両側に突出する左右規制ピン６８，６８を設け、規制ピン６８，６８の下面を左右ロワーリンク１０ｂ，１０ｂの前端部上面に当接するように構成している。
【００５７】
前記構成によると、コンパクトな構成でありながらチエックチエンステー６５に取り付けている左右チエックチエン６６，６６により左右ロワーリンク１０ｂ，１０ｂの左右両側への回動を規制することができる。また、チエックチエンステー６５に取り付けた左右規制板６７，６７から左右規制ピン６８，６８を左右両側に突出して左右ロワーリンク１０ｂ，１０ｂに連係しているので、左右ロワーリンク１０ｂ，１０ｂの上下回動に応じてチエックチエンステー６５及び左右チエックチエン６６，６６を略同じ高さで上下移動することができ、左右ロワーリンク１０ｂ，１０ｂの横振れを円滑に規制することができる。
【００５８】
また、図１３に示すように、チエックチエンステー６５の上面に左右規制板６７，６７をボルト締結するにあたり、前側のボルトに対して左右規制板６７，６７の後側部を左右方向内側に引っ込んだり、突出するように調節可能に取り付け、左右規制板６７，６７からの左右規制ピン６８，６８の突出長さを調節できるようにし、複数の型式に対応でいるように構成してもよい。
【符号の説明】
【００５９】
１１    ロータリ耕耘装置
２６    トップリンクマスト
２８    耕耘爪
２９    耕耘カバー
３１    リヤーカバー
３１ａ  ブラケット
３３    ヒッチ連結棒
３３ａ  軸
３３ｄ  ヒッチ
３３ｂ  前側ヒッチ連結棒
３３ｃ  後側ヒッチ連結棒
３３ｅ  ワイヤ調整取付孔
３４    ワイヤ
３５    耕深調節手段
３７    プッシュロッド
３８    連結ピン
４０    ワイヤ横ズレ防止支持手段
４０ａ  第１線材
４０ｂ  支持凹部
４０ｃ  枢支アーム
４０ｄ  押圧線材
４０ｅ  凹形係合部
４４    ワイヤ横ズレ防止支持手段
４４ａ  抜け止め防止ピン
４４ｂ  レバー
４４ｃ  支持孔
【図１】
2014087329.tif 000003
【図２】
2014087329.tif 000004
【図３】
2014087329.tif 000005
【図４】
2014087329.tif 000006
【図５】
2014087329.tif 000007
【図６】
2014087329.tif 000008
【図７】
2014087329.tif 000009
【図８】
2014087329.tif 000010
【図９】
2014087329.tif 000011
【図１０】
2014087329.tif 000012
【図１１】
2014087329.tif 000013
【図１２】
2014087329.tif 000014
【図１３】
2014087329.tif 000015